(57)【特許請求の範囲】
【請求項１】
その脚部に一方の手の親指及び１本又は複数の他の指が係合できるような大きさ及び形状を有するＵ字形本体を備え、
前記Ｕ字形本体は、使用者の親指に適合する一方の脚部と、１本又は複数の他の指に適合する対向する脚部とを有し、脚部の基部は使用者の手のひらに適合し、前記一方の脚部は、液体潤滑剤を格納する弾性変形可能な貯蔵器を規定し、多孔質材料の液体塗布具が、親指の圧力によって貯蔵器から押し出される液体を受け取るため、前記貯蔵器と連絡しており、
少なくとも１本の指と係合する前記Ｕ字形本体の対向する脚部は、除毛手段を取り付けるための保持部を規定し、
前記除毛手段及び前記液体塗布具は、両方を除毛手段及び液体塗布具として一緒に使用するか、または、一方の脚部を対向する脚部に対して手操作することにより、使用者の皮膚に適用して除毛手段としてのみ使用するかあるいは液体塗布具としてのみ使用するか、調整出来ることを特徴とする、
手持ち型除毛及び皮膚潤滑用具。
【請求項２】
前記本体は、弾性変形可能な合成材料から作られる請求項１に記載の用具。
【請求項３】
使用者の身体面上で、当該用具を操作できるようにするため、前記一方の脚部は前記対向する脚部より短い、請求項２に記載の用具。
【請求項４】
前記Ｕ字形本体は、前記一方の脚部付近だけでなく、使用者の手のひらに隣接する前記Ｕ字形本体の基部付近にも前記貯蔵器を規定する、請求項３に記載の用具。
【請求項５】
前記一方の脚部と前記Ｕ字形本体基部に加え、さらに前記Ｕ字形本体の前記対向する脚部の少なくとも一部に前記貯蔵器が規定されている、請求項４に記載の用具。
【請求項６】
前記除毛手段は、別の除毛手段と交換しやすいように、前記対向する脚部の末端部分に取り外し可能に取り付けられる、請求項１に記載の用具。
【請求項７】
前記除毛手段は連結式シェービングヘッドを有する請求項６に記載の用具。
【請求項８】
前記Ｕ字形本体の前記対向する脚部は、前記一方の脚部より長く、前記除毛手段の動作中に一方の脚部の末端部分と係合するよう適合される内側面を含む、請求項１に記載の用具。
【請求項９】
前記Ｕ字形本体部分は、一方の脚部から前記基部、そして前記対向する脚部の少なくとも一部へ広がる貯蔵器を設けた合成材料で作られ、当該貯蔵器を規定する部分は弾性変形可能である、請求項８に記載の用具。
【発明の詳細な説明】
【０００１】
【発明の属する技術分野】
本発明は、一般に、複数の目的（すなわち、毛の除去及び潤滑剤の皮膚や毛への塗布）を果たす手持ち型用具に関する。より詳細には、本発明は、除毛手段及び塗布具（アプリケータ）の両方が同時に機能することもできる用具に関する。
【０００２】
【従来の技術】
手持ち型湿式安全カミソリは、一般に、カミソリを操作する際に使用者が把持するよう設計された細長いハンドルを必要とする。
【０００３】
また、皮膚や剃る毛に潤滑剤を塗るための塗布用パッドも知られている。この塗布用パッドは、ハンドルを必要とすることもあれば、必要としないこともあり、また、実際のシェービング段階の前段階で使用されることもあれば、使用されないこともある。
【０００４】
【発明が解決しようとする課題】
本発明は、液体潤滑剤の塗布用、及び、毛除去すなわちシェービング段階用の単一の手持ち型用具を提供することにより、手持ち型カミソリと、別個の潤滑剤塗布具の両方が必要になることをなくそうとするものである。これらのことは、両機能を同時に果たすことができる用具で実現される。
【０００５】
【課題を解決するための手段】
本発明は、その脚部に親指と人差し指及び食指がそれぞれ係合して使用者の手の中にぴったりと収まるような大きさ及び形状を有するＵ字形塗布本体を含む。
【０００６】
Ｕ字形塗布本体の一方の脚部は、液体潤滑剤を格納する弾性変形可能な貯蔵器を規定し、また、その脚部の末端に多孔質材料の塗布用パッドが設けられることで、貯蔵器内の液体を、貯蔵器から塗布用パッドへ、毛管作用で運んだり押し出したりして、使用者の毛又は皮膚に塗布できるようになる。
【０００７】
Ｕ字形本体の他方の脚部は、連結式カミソリヘッドなどの除毛手段を支持するよう設計され、これにより、除毛手段を単独で使用することも、毛／皮膚塗布用パッドと共に使用することもできるようになり、処理している身体部位に対する器具の角度又は向きを変えるだけで、いずれか一方を選択的に使用することができ、また、同時に使用することができるようになる。
さらに使用者の身体面上で、この用具を操作できるようにするため、前記一方の脚部は前記対向する脚部より短くすることができる。
【０００８】
添付図面において：
図１は、用具を塗布具として使用した状態を示す透視図であり、用具は、皮膚に潤滑剤を塗布するため、親指と人差し指及び食指の間で使用者の手に保持されている。
図２は、図１と同じ用具を示し、処理している皮膚面に対して図１とはやや異なる角度で保持されて、塗布用パッドは図１と同様に使われるが、Ｕ字形用具の他方の脚部に取り付けられた除毛手段は、潤滑剤の塗布後に、皮膚の毛を剃り又は除去するように作用する。
図３は、塗布用パッドが皮膚と接触せずに、除毛手段すなわちカミソリ用具のみが皮膚と接触するような形状及び角度で、処理している皮膚面に対して保持された図１及び図２の用具を示す。
図４は、使用中の用具を示す図である。
【０００９】
【発明の実施の形態】
以下、図面を詳細に参照しつつ説明する。まず、図１を参照すると、本発明の塗布用用具は、概ねＵ字形の形状を有し、Ｕ字形の基部１０ｃが手のひらと係合し、Ｕ字形の一方の脚部１０ａが使用者の親指と係合するよう適合されるような形で使用者の手の中に収まることがわかる。手の人差し指及び／又は食指を、Ｕ字形用具の反対側の脚部１０ｂと係合するよう適合することで、以下に説明される３つの動作モードのいずれでの使用にも都合のよいやり方で当該用具を保持することができる。
【００１０】
Ｕ字形本体１０は、好ましくは、弾性的に撓むことができる合成材料で形成され、当該材料は、少なくとも、親指Ｔと係合する一方の脚部１０ａ内に中空部を規定するよう成形されて、液体潤滑剤で満たされる貯蔵器を規定する。全体的に１２で示される吐出器又は塗布用スポンジは、親指と係合する一方の脚部の末端に設けられて、貯蔵器内の塗布用液体と連絡し、液体潤滑剤を皮膚Ｓ又は皮膚上の毛に塗布するため、当該用具が図１の矢印の方向に引っ張られる際、毛管作用、及び／又は、重力の作用によって、液体を貯蔵器から取り出す。本発明の重要な特徴は、親指Ｔを使って、Ｕ字形本体の当該脚部内に貯蔵器を規定する外被に圧力をかけることができ、塗布用パッド１２に送られ、そして皮膚Ｓに供給される液体潤滑剤の量を使用者が調節することができるということである。
【００１１】
好ましくは、図４に示すように、Ｕ字形本体は、約１インチから２インチの幅を有し、Ｕ字形用具の基部は、手のひら内にぴったりと収まる。対向する脚部１０ｂの指Ｆと係合する部分を利用して、相当量の前記液体潤滑剤を格納するようにしてもよい。親指と人差し指で弾性変形可能なＵ字形本体に圧力を加えることで、練り歯磨きチューブが使用者によってしぼられて、チューブから練り歯磨きが歯ブラシ上に取り出されるのとほぼ同じやり方で、ほぼすべての液体潤滑剤を内部に規定された貯蔵器から取り出すことができる。
【００１２】
Ｕ字形本体の対向する第二の脚部１０ｂについて更に説明すると、図１及び図４に示すように、その下部は、塗布具に必要な拭き動作を行うために使用者の指が作用するのに都合のよい面を提供するよう形成される。
【００１３】
図２に最もよく示されるように、対向する脚部１０ｂ、より具体的には、その末端部分に、従来式の手持ち型カミソリに設けられているものとほぼ同様な連結式カミソリヘッドの形態をとる除毛手段１４が装着される。使用者は、図２に最もよく示されるように、処理している皮膚面にカミソリヘッド１４と塗布用パッド１２の両方が当たるように、用具を置くことができる。反対側の脚部１０ｂの末端部分又はＵ字形本体は、使い捨てカミソリヘッドを受け入れるよう構成されるが、本発明には当該特徴は必須ではなく、本発明は、除毛手段及び／又は貯蔵器の中身を使い尽くすなどして、その耐用寿命が尽きたら使い捨てにするよう意図された用具でも実現することができる。脚部１０ｂの末端に、カミソリヘッド１４以外の除毛手段を用いることもできる。
【００１４】
次に、図３を参照すると、使用者が、処理面に対して除毛手段１４すなわちシェービングヘッドのみが皮膚と接触する状態に用具を置いているのが示されている。従って、本発明を３つの異なる動作モードで利用することで、個人的な清潔さの基準を満足させる過程で、毛及び／又は皮膚の処理をし、毛の除去をするために、使用者が様々な用具を用いる必要がなくなることは明らかであろう。
【００１５】
操作時、使用者は、Ｕ字形用具１０を、以下のように手操作することができる。
脚部１０ａの端部を、矢印２０で示される方向に親指で下向きに押し下げ、カミソリヘッド１４と皮膚Ｓとの間に塗布用パット１２を押し込むことにより、カミソリヘッド１４が皮膚Ｓから離れ、皮膚Ｓに接触するのを防止することができる。これにより、塗布用パ
ット１２が皮膚Ｓへ接触し、塗布用パットから液体が皮膚Ｓ又は皮膚上の毛に塗布される。
このようにして本件発明は、３つの異なるモードで使用することができる。
第１に、本件用具を液体塗布具としてのみ使用することができる。第２に、図２に示すように、一方の脚部１０ａの端部は、カミソリヘッド１４と塗布用パット１２の両方が同時に皮膚Ｓに当たるように、手操作される。
【００１６】
一方、図３の矢印１８で示すように親指を上向きに動かすと、この手操作により、一方の脚部の端部を、対向する脚部の比較的かたく形成されている内側面に係合させることとなり、塗布用パット１２が皮膚面Ｓから引き離されて塗布用パッドと皮膚の接触が避けられる。
これにより、カミソリヘッド１４のみが使用者の皮膚Ｓに接触し、本件用具は除毛手段としてのみ使用される。
【図面の簡単な説明】
【図１】  用具を塗布具として使用した状態を示す透視図であり、用具は、皮膚に潤滑剤を塗布するため、親指と人差し指及び食指の間で使用者の手に保持されている。
【図２】  図１と同じ用具を示し、処理している皮膚面に対して図１とはやや異なる角度で保持されて、塗布用パッドは図１と同様に使われるが、Ｕ字形用具の他方の脚部に取り付けられた除毛手段は、潤滑剤の塗布後に、皮膚の毛を剃り又は除去するように作用する。
【図３】  塗布用パッドが皮膚と接触せずに、除毛手段すなわちカミソリ用具のみが皮膚と接触するような形状及び角度で、処理している皮膚面に対して保持された図１及び図２の用具を示す。
【図４】  使用中の用具を示す図である。
【図１】
0003717117.tif 000002
【図２】
0003717117.tif 000003
【図３】
0003717117.tif 000004
【図４】
0003717117.tif 000005